【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであって、
前記可変表示装置の表示結果が導出される前に遊技者にとって有利な特別遊技状態への移行を伴う特別入賞及び該特別入賞以外の一般入賞を含む複数種類の入賞について発生を許容するか否かを決定する事前決定手段と、
前記事前決定手段により前記特別入賞の発生を許容する旨が決定され、該特別入賞が発生しなかったときに、当該特別入賞の発生を許容する旨の決定を次ゲーム以降に持ち越す持越手段と、
前記可変表示装置に表示結果を導出させる際に操作される導出操作手段と、
前記導出操作手段が操作されたときに、前記事前決定手段の決定結果に応じて前記可変表示装置に表示結果を導出させる制御を行う導出制御手段と、
遊技者にとって有利となる前記導出操作手段の操作手順を示唆するための権利を付与する権利付与手段と、
前記権利付与手段により付与された前記権利の数を記憶する権利数記憶手段と、
前記権利数記憶手段に記憶された前記権利の数に応じて前記操作手順を示唆する操作手順示唆手段と、
複数ゲームにわたる演出を含み、前記特別入賞の発生を許容する旨が決定されている可能性を示唆するとともに、最終的に前記特別入賞の発生を許容する旨が決定されているか否かを報知する特定演出を実行する特定演出実行手段と、
前記特定演出は複数種類からなり、該複数種類の特定演出から前記特定演出実行手段が実行する特定演出の種類を選択する特定演出選択手段と、
を備え、
前記事前決定手段は、複数種類の一般入賞について該一般入賞の発生を許容する旨及び前記特別入賞の発生を許容する旨を同時に決定することが可能であり、
前記特定演出実行手段は、前記事前決定手段により前記一般入賞のうち前記特別入賞の発生を許容する旨と同時に決定される可能性のある同時一般入賞の発生を許容する旨が決定されたことを契機に前記特定演出を実行する同時一般入賞時特定演出実行手段を含み、
前記特定演出選択手段は、前記同時一般入賞時特定演出実行手段が前記特定演出を実行する場合に、前記事前決定手段により発生が許容する旨が決定された前記同時一般入賞の種類及び前記権利数記憶手段により記憶されている前記権利の数に応じて異なる割合で前記複数種類の特定演出からいずれかの種類の特定演出を選択する、
ことを特徴とするスロットマシン。
【手続補正２】
【補正対象書類名】明細書
【補正対象項目名】００１０
【補正方法】変更
【補正の内容】
【００１０】
上記課題を解決するために、本発明の請求項１に記載のスロットマシンは、
遊技用価値を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
前記可変表示装置の表示結果が導出される前に遊技者にとって有利な特別遊技状態（ＢＢ、ＲＢ）への移行を伴う特別入賞（特別役）及び該特別入賞以外の一般入賞（小役、再遊技役）を含む複数種類の入賞について発生を許容するか否かを決定する事前決定手段（内部抽選）と、
前記事前決定手段（内部抽選）により前記特別入賞（特別役）の発生を許容する旨が決定され、該特別入賞（特別役）が発生しなかったときに、当該特別入賞の発生を許容する旨の決定（特別役の当選フラグ）を次ゲーム以降に持ち越す持越手段と、
前記可変表示装置（リール２Ｌ、２Ｃ、２Ｒ）に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記事前決定手段（内部抽選）の決定結果に応じて前記可変表示装置（リール２Ｌ、２Ｃ、２Ｒ）に表示結果を導出させる制御を行う導出制御手段と、
遊技者にとって有利となる前記導出操作手段（ストップスイッチ８Ｌ、８Ｃ、８Ｒ）の操作手順を示唆するための権利（報知状態の権利）を付与する権利付与手段（当選役種類報知抽選）と、
前記権利付与手段により付与された前記権利の数（報知状態の残り回数）を記憶する権利数記憶手段と、
前記権利数記憶手段に記憶された前記権利の数（報知状態の残り回数）に応じて前記操作手順を示唆する操作手順示唆手段と、
複数ゲームにわたる演出を含み、前記特別入賞（特別役）の発生を許容する旨が決定されている可能性を示唆するとともに、最終的に前記特別入賞（特別役）の発生を許容する旨が決定されているか否かを報知する特定演出（特別役当選示唆演出）を実行する特定演出実行手段と、
前記特定演出（特別役当選示唆演出）は複数種類（演出パターン１〜７）からなり、該複数種類の特定演出（特別役当選示唆演出）から前記特定演出実行手段が実行する特定演出の種類（演出パターン）を選択する特定演出選択手段と、
を備え、
前記事前決定手段（内部抽選）は、複数種類の一般入賞（ベル、チェリー、チェリー＋１枚、リプレイ（１））について該一般入賞の発生を許容する旨及び前記特別入賞（特別役）の発生を許容する旨を同時に決定することが可能であり、
前記特定演出実行手段は、前記事前決定手段（内部抽選）により前記一般入賞のうち前記特別入賞の発生を許容する旨と同時に決定される可能性のある同時一般入賞（ベル、チェリー、チェリー＋１枚、リプレイ（１））の発生を許容する旨が決定されたことを契機に前記特定演出（特別役当選示唆演出）を実行する同時一般入賞時特定演出実行手段を含み、
前記特定演出選択手段は、前記同時一般入賞時特定演出実行手段が前記特定演出（特別役当選示唆演出）を実行する場合に、前記事前決定手段（内部抽選）により発生が許容する旨が決定された前記同時一般入賞（ベル、チェリー、チェリー＋１枚、リプレイ（１））の種類及び前記権利数記憶手段により記憶されている前記権利の数（当選役種類報知の残り回数）に応じて異なる割合で前記複数種類の特定演出（演出パターン１〜７）からいずれかの種類の特定演出（演出パターン）を選択する
ことを特徴としている。
この特徴によれば、特別入賞の発生を許容する旨と同時に決定される可能性のある同時一般入賞の発生を許容する旨が決定されたことを契機に特定演出が実行されるので、特定演出に伴い特別入賞の発生が許容されていることに対する遊技者の期待感を高めることができるとともに、同時一般入賞が発生した後、特定演出により特別入賞の発生が許容されているか否かが報知されるまでの期間にわたり特別入賞の発生に対する遊技者の期待感を持続させることができる。
また、複数種類の特定演出から選択されたいずれかの種類の特定演出が実行されるとともに、事前決定手段により発生が許容する旨が決定された同時一般入賞の種類及び権利数記憶手段により記憶されている権利の数に応じて異なる割合で特定演出の種類が選択されるようになっており、発生した同時一般入賞の種類及び実行された特定演出の種類の組合せから操作手順示唆手段を作動させる権利の数が示唆され、操作手順示唆手段を作動させる権利の数を推測することが可能となるため、特定演出の結果、特別入賞の発生を許容する旨が決定されていないことが報知された場合であっても、遊技者にとって特定演出が有意なものとなる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、導出操作手段の操作手順とは、導出操作手段が操作されるタイミングであっても良いし、可変表示装置が複数の可変表示領域から構成され、それぞれに表示結果を導出させる際に操作される導出操作手段が個々に設けられている場合には、導出操作手段が操作される順序であっても良い。
また、遊技者にとって有利となる前記導出操作手段の操作手順とは、例えば、事前決定手段により発生する旨が許容された入賞が発生する条件となる操作手順や、遊技者にとって有利な遊技状態への移行契機となる表示結果が導出される条件となる操作手順などが該当する。
また、遊技者にとって有利となる前記導出操作手段の操作手順を示唆するとは、遊技者にとって有利となる導出操作手段の操作手順を認識可能な情報を報知するものであれば良く、遊技者にとって有利となる導出操作手段の操作手順を直接的に報知するものであっても良いし、事前決定手段の決定結果を報知することなどにより遊技者にとって有利となる導出操作手段の操作手順を間接的に報知するものであっても良い。
また、前記特定演出選択手段は、前記事前決定手段により発生が許容する旨が決定された前記同時一般入賞の種類及び前記権利数記憶手段により記憶されている前記権利の数に応じて異なる割合で前記複数種類の特定演出からいずれかの種類の特定演出を選択するとは、例えば、同時一般入賞の種類及び権利の数をパラメータとしてこれらの組合せによって異なる割合で特定演出の種類を選択するものであれば良い。
【手続補正３】
【補正対象書類名】明細書
【補正対象項目名】００１１
【補正方法】変更
【補正の内容】
【００１１】
本発明の手段１に記載のスロットマシンは、請求項１に記載のスロットマシンであって、
前記特定演出選択手段は、前記権利数記憶手段により記憶されている前記権利の数（報知状態の残り回数）が所定数（５）以上であることを条件に、前記複数種類の特定演出（演出パターン１〜７）のうち所定の種類（演出パターン７）の特定演出を選択する
ことを特徴としている。
この特徴によれば、所定の種類の特定演出が実行されることで操作手順示唆手段を作動させる権利の数が所定数以上残っていることが確定するため、操作手順示唆手段が作動することで遊技者にとって有利となる状況が継続することへの期待感を高めることができる。
【手続補正４】
【補正対象書類名】明細書
【補正対象項目名】００１２
【補正方法】変更
【補正の内容】
【００１２】
本発明の手段２に記載のスロットマシンは、手段１に記載のスロットマシンであって、
前記特定演出選択手段は、複数種類の前記同時一般入賞のうち所定の同時一般入賞（チェリー＋１枚）の発生を許容する旨が決定されたことを条件に、前記所定の種類の特定演出（演出パターン７）を選択する
ことを特徴としている。
この特徴によれば、操作手順示唆手段を作動させる権利の数が所定数以上残っていることが確定する所定の種類の特定演出は、所定の同時一般入賞の発生を許容する旨が決定されたときのみ実行されるので、他の同時一般入賞の発生を許容する旨が決定されたことを契機として、所定の種類以外の特定演出が実行されても、操作手順示唆手段を作動させる権利の数が所定数以上残っている可能性があり、このような状況であっても操作手順示唆手段が作動することで遊技者にとって有利となる状況が継続することへの期待感を高めることができる。
【手続補正５】
【補正対象書類名】明細書
【補正対象項目名】００１３
【補正方法】変更
【補正の内容】
【００１３】
本発明の手段３に記載のスロットマシンは、請求項１、手段１または２のいずれかに記載のスロットマシンであって、
前記特定演出選択手段は、
前記特別入賞（特別役）の発生を許容する旨が決定されているときに、前記特別入賞（特別役）の発生を許容する旨が決定されていないときよりも、予め定められた種類の特定演出（演出パターン３〜６）を選択する比率が高くなる割合で前記特定演出の種類（演出パターン）を選択し、
前記特別入賞（特別役）の発生を許容する旨が決定されていないときには、前記権利数記憶手段に記憶されている前記権利の数（報知状態の残り回数）が所定数（１）以上である場合に、前記権利の数（報知状態の残り回数）が所定数未満（０）である場合よりも、前記予め定められた種類の特定演出（演出パターン３〜６）を選択する比率が高くなる割合で前記特定演出の種類（演出パターン）を選択する
ことを特徴としている。
この特徴によれば、特別入賞の発生を許容する旨が決定されている可能性の高い予め定められた特定演出が実行され、結果的に特別入賞の発生が許容されていない旨が報知された場合には、操作手順示唆手段を作動させる権利の数が所定数以上残っている可能性が高まるため、特別入賞が期待できる特定演出で外れた場合であっても操作手順示唆手段が作動することで遊技者にとって有利となる状況が継続することへの期待感を高めることができる。
【手続補正６】
【補正対象書類名】明細書
【補正対象項目名】００１４
【補正方法】変更
【補正の内容】
【００１４】
本発明の手段４に記載のスロットマシンは、請求項１、手段１〜３のいずれかに記載のスロットマシンであって、
前記特定演出選択手段は、前記権利数記憶手段に記憶されている前記権利の数（報知状態の残り回数）が所定数（５）以上である場合に、前記権利の数（報知状態の残り回数）が所定数（５）未満である場合よりも、所定ゲーム数（１ゲーム）以下で終了する第１の種類の特定演出（演出パターン７）及び前記所定ゲーム数（１ゲーム）を超えて継続する第２の種類の特定演出（演出パターン１〜６）のうち前記第１の種類の特定演出を選択する比率が高くなる割合で前記特定演出の種類（演出パターン）を選択する
ことを特徴としている。
この特徴によれば、特定演出が短い期間で終了してしまい、特別入賞の発生が許容されていることに対する遊技者の期待感を持続できない場合でも、操作手順示唆手段が作動することで遊技者にとって有利となる状況が継続することへの期待感を高めることができる。
【手続補正７】
【補正対象書類名】明細書
【補正対象項目名】００１５
【補正方法】変更
【補正の内容】
【００１５】
本発明の手段５に記載のスロットマシンは、請求項１、手段１〜４のいずれかに記載のスロットマシンであって、
前記特定演出実行手段は、第３の種類の特定演出（演出パターン１〜３）及び第４の種類の特定演出（演出パターン４〜６）のうち第４の種類の特定演出（演出パターン４〜６）が選択されている場合にのみ、遊技の進行に関与しない操作（ＭＡＸＢＥＴスイッチ６の操作）がなされたときに特別演出（カットイン演出）を実行する特別演出実行手段を含み、
前記特定演出選択手段は、前記権利数記憶手段に記憶されている前記権利の数（報知状態の残り回数）が所定数（１）以上である場合に、前記権利の数（報知状態の残り回数）が所定数未満（０）である場合よりも、前記第３の種類の特定演出（演出パターン１〜３）及び前記第４の種類の特定演出（演出パターン４〜６）のうち前記第４の種類の特定演出（演出パターン４〜６）を選択する比率が高くなる割合で前記特定演出の種類（演出パターン）を選択する
ことを特徴としている。
この特徴によれば、特定演出において遊技の進行に関与しない操作がなされることで、操作手順示唆手段を作動させる権利の数が所定数以上残っていることを知ることができるため、遊技の進行に関与しない演出のための操作を伴う演出に対して遊技者が積極的に参加する意欲を高めることができる。
【手続補正８】
【補正対象書類名】明細書
【補正対象項目名】００１６
【補正方法】変更
【補正の内容】
【００１６】
本発明の手段６に記載のスロットマシンは、請求項１、手段１〜５のいずれかに記載のスロットマシンであって、
前記可変表示装置は、各々が識別可能な複数種類の図柄を変動表示可能な複数の可変表示領域（リール２Ｌ、２Ｃ、２Ｒ）を有し、
前記複数の可変表示領域（リール２Ｌ、２Ｃ、２Ｒ）の全てに表示結果が導出されたことにより１ゲームが終了し、前記複数の可変表示領域（リール２Ｌ、２Ｃ、２Ｒ）を通る複数の入賞ライン（入賞ラインＬ１〜Ｌ５）のうちいずれかの入賞ライン上に導出された図柄の組合せに応じて入賞が発生可能であって、
前記事前決定手段（内部抽選）は、
前記同時一般入賞のうち第１の同時一般入賞（チェリー）の発生を許容する旨を単独で決定する第１の決定（チェリー）、前記第１の同時一般入賞（チェリー）の発生を許容する旨及び前記特別入賞（特別役）の発生を許容する旨を同時に決定する第２の決定（特別役＋チェリー）、前記第１の同時一般入賞（チェリー）の発生を許容する旨及び前記同時一般入賞のうち前記前記第１の同時一般入賞と異なる第２の同時一般入賞（１枚）の発生を許容する旨を同時に決定する第３の決定（チェリー＋１枚）、前記第１の同時一般入賞（チェリー）の発生を許容する旨、前記第２の同時一般入賞（１枚）の発生を許容する旨及び前記特別入賞（特別役）の発生を許容する旨を同時に決定する第４の決定（特別役＋チェリー＋１枚）を行うことが可能であり、
前記第１の決定（チェリー）がなされる確率と前記第２の決定（特別役＋チェリー）がなされる確率との合算確率に占める前記第２の決定（特別役＋チェリー）がなされる確率の比率と、前記第３の決定（チェリー＋１枚）がなされる確率と前記第４の決定（特別役＋チェリー＋１枚）がなされる確率との合算確率に占める前記第４の決定（特別役＋チェリー＋１枚）がなされる確率の比率と、が異なる確率で前記第１〜４の決定を行い、
前記導出制御手段は、
前記第１の決定（チェリー）または前記第２の決定（特別役＋チェリー）がなされた第１の条件が成立したときに、前記複数の入賞ライン（入賞ラインＬ１〜Ｌ５）のうちの第１の入賞ラインに（入賞ラインＬ２〜Ｌ５）、第２の入賞ライン（入賞ラインＬ１）よりも高い割合で前記第１の同時一般入賞（チェリー）が入賞する図柄の組合せ（チェリー−ＡＮＹ−ＡＮＹ）を導出させる制御を行い、
前記第３の決定（チェリー＋１枚）または前記第４の決定（特別役＋チェリー＋１枚）がなされた第２の条件が成立したときに、前記第２の入賞ライン（入賞ラインＬ１）に、前記第１の入賞ライン（入賞ラインＬ２〜Ｌ５）よりも高い割合で前記第１の同時一般入賞（チェリー）が入賞する図柄の組合せ（チェリー−ＡＮＹ−ＡＮＹ）を導出させる制御を行う
ことを特徴としている。
この特徴によれば、第１の決定または第２の決定がなされている場合には、第１の入賞ラインに第１の同時一般入賞が入賞する図柄の組合せが導出される可能性が高く、第３の決定または第４の決定がなされている場合には、第２の入賞ラインに第１の同時一般入賞が入賞する図柄の組合せが導出される可能性が高い。すなわち第１の決定または第２の決定がなされている場合に第１の同時一般入賞が発生した場合と、第３の決定または第４の決定がなされている場合に第１の同時一般入賞が発生した場合と、で第１の同時一般入賞が入賞する図柄の組合せが導出されやすい入賞ラインが異なる。そして、第１の決定がなされる確率と第２の決定がなされる確率との合算確率に占める第２の決定がなされる確率の比率と、第３の決定がなされる確率と第４の決定がなされる確率との合算確率に占める第４の決定がなされる確率の比率と、が異なるため、第１の同時一般入賞が発生した際に、第１の同時一般入賞が発生する図柄の組合せが導出された入賞ラインによって特別入賞の発生が許容されていることに対する期待度に変化を持たせることができる。さらに、第１の入賞ラインに第１の同時一般入賞が発生する図柄の組合せが導出された場合にも、第２の入賞ラインに第１の同時一般入賞が発生する図柄の組合せが導出された場合にも、ともに特別入賞の発生が許容されている可能性が示唆されるが、第１の同時一般入賞が発生する図柄の組合せが導出された入賞ラインから特別入賞の発生が許容されているか否かを判別することは不可能であり、第１の同時一般入賞が発生する図柄の組合せがいずれの入賞ラインに導出された場合でも、特別入賞の発生が許容されていることに対する遊技者の期待感が損なわれてしまうことがない。
尚、第１の入賞ラインに、第２の入賞ラインよりも高い割合で前記第１の同時一般入賞が発生する図柄の組合せを導出させる制御とは、第１の入賞ラインに１００％の割合で前記第１の同時一般入賞が発生する図柄の組合せを導出させる制御を含む。また、第２の入賞ラインに、第１の入賞ラインよりも高い割合で前記第１の同時一般入賞が発生する図柄の組合せを導出させる制御とは、第２の入賞ラインに１００％の割合で前記第１の同時一般入賞が発生する図柄の組合せを導出させる制御を含む。